(57)【特許請求の範囲】
【請求項１】
ヘッドボックスに回転可能に支持されるプーリーから無端状のボールチェーンを垂下し、前記ボールチェーンはプーリーに対し制限なく周回可能であり、該ボールチェーンの操作に基づいてプーリーを回転させて遮蔽材を駆動する日射遮蔽装置において、
前記ボールチェーンをフェイルセーフ機能を備えた連結ボールで連結して無端状とし、前記連結ボールと隣り合うボールとのピッチを、他のボール間のピッチより大きくしたことを特徴とする日射遮蔽装置の操作装置。
【請求項２】
前記プーリーの凹凸部のピッチと、前記ボールチェーンの各ボール間のピッチとを同一とし、前記連結ボールと隣り合うボールとのピッチを、他のボール間のピッチより大きくしたことを特徴とする請求項１記載の日射遮蔽装置の操作装置。
【請求項３】
前記連結ボールの径を大きくして、前記連結ボールと隣り合うボールとのピッチを、他のボール間のピッチより大きくしたことを特徴とする請求項２記載の日射遮蔽装置の操作装置。
【請求項４】
前記連結ボールと隣り合うボールとを連結する連結コードを長くして、前記連結ボールと隣り合うボールとのピッチを、他のボール間のピッチより大きくしたことを特徴とする請求項２記載の日射遮蔽装置の操作装置。
【請求項５】
前記連結ボールの径を大きくするとともに、前記連結ボールと隣り合うボールとを連結する連結コードを長くして、前記連結ボールと隣り合うボールとのピッチを、他のボール間のピッチより大きくしたことを特徴とする請求項２記載の日射遮蔽装置の操作装置。
【発明の詳細な説明】
【技術分野】
【０００１】
この発明は、横型ブラインド、プリーツスクリーン、たくし上げカーテン等の日射遮蔽装置の遮蔽材を操作する操作装置に関するものである。
【背景技術】
【０００２】
横型ブラインドの一種類として、ヘッドボックスの一端に回動可能に支持されたプーリーに無端状のボールチェーンを掛装し、そのボールチェーンを操作してプーリーを回転させることにより、スラットを昇降及び角度調節可能としたものがある。
【０００３】
ボールチェーンは、例えば合成樹脂で紐状に形成されたコードに対し、同じく合成樹脂のボールを等間隔に成形して固定したものである。そして、プーリーの周面に形成された凹凸部に各ボールを順次係合させてプーリーを回転駆動可能となっている。
【０００４】
このようなボールチェーンは、多数のボールを成形して取着したコードの両端を連結部で連結して無端状とする構成が一般的である。また、プーリーに対しボールチェーンを周回させてスラットの昇降操作を行う横型ブラインドの場合には、ボールチェーンの連結部のボール形状及びボール間隔を、他の部分のボール形状及びボール間隔と同一としている。
【０００５】
このような場合には、連結部のボールを２分割し、その分割部を互いに嵌合してボールを構成するものが提案されている。（特許文献１参照）
上記のように無端状のボールチェーンがプーリーから垂下されていると、そのボールチェーンの無端縁が室内を移動する居住者やその他の移動物体に引っ掛かることがある。
【０００６】
そこで、無端状のボールチェーンを構成する連結部には、通常の操作時に作用する引張り力を超えるような過大な引張り力が作用するときには、その引張り力により外れるようにしたフェイルセーフ機能を備えることが必要である。このようなフェイルセーフ機能により、居住者等との引っ掛かりを解除して居住者等の移動を許容し、かつボールチェーンが掛装されるプーリー等の損傷を未然に防止することが可能となる。
【先行技術文献】
【特許文献】
【０００７】
【特許文献１】特開２００３−１８４４５６号
【発明の概要】
【発明が解決しようとする課題】
【０００８】
上記のようなボールチェーンでは、ボールチェーンを構成する各ボールのピッチと、ボールチェーンが掛装されるプーリーの凹凸部のピッチとはほぼ同一に形成されて、ボールチェーンの各ボールがプーリーに円滑に係合するようになっている。
【０００９】
すると、ボールチェーンの連結部がプーリーに係合するとき、連結部のボールとその前後のボールがプーリーの凹部にそれぞれ係合するため、連結部に同連結部を引き離す方向の引張り力が作用し、この引張り力により連結部が外れてしまうことがある。
【００１０】
連結部がプーリーに係合していない状態で切断された場合には、連結部を再結合してボールチェーンを無端状に復帰させることは容易である。
しかし、連結部がプーリーに係合している状態で外れると、ボールチェーンがプーリーから脱落する。従って、ボールチェーンを再度プーリーに掛装し、かつ無端状に復帰させるために煩雑な作業が必要となるという問題点がある。
【００１１】
この発明の目的は、通常操作時において、ボールチェーンの連結部がプーリーに係合しているとき、連結部の外れを未然に防止し得る日射遮蔽装置の操作装置を提供することにある。
【課題を解決するための手段】
【００１２】
請求項１では、ヘッドボックスに回転可能に支持されるプーリーから無端状のボールチェーンを垂下し、前記ボールチェーンはプーリーに対し制限なく周回可能であり、該ボールチェーンの操作に基づいてプーリーを回転させて遮蔽材を駆動する日射遮蔽装置において、前記ボールチェーンをフェイルセーフ機能を備えた連結ボールで連結して無端状とし、前記連結ボールと隣り合うボールとのピッチを、他のボール間のピッチより大きくした。
【００１３】
請求項２では、前記プーリーの凹凸部のピッチと、前記ボールチェーンの各ボール間のピッチとを同一とし、前記連結ボールと隣り合うボールとのピッチを、他のボール間のピッチより大きくした。
【００１４】
請求項３では、前記連結ボールの径を大きくして、前記連結ボールと隣り合うボールとのピッチを、他のボール間のピッチより大きくした。
請求項４では、前記連結ボールと隣り合うボールとを連結する連結コードを長くして、前記連結ボールと隣り合うボールとのピッチを、他のボール間のピッチより大きくした。
【００１５】
請求項５では、前記連結ボールの径を大きくするとともに、前記連結ボールと隣り合うボールとを連結する連結コードを長くして、前記連結ボールと隣り合うボールとのピッチを、他のボール間のピッチより大きくした。
【発明の効果】
【００１６】
本発明によれば、通常操作時において、ボールチェーンの連結部がプーリーに係合しているとき、連結部の外れを未然に防止し得る日射遮蔽装置の操作装置を提供することができる。
【図面の簡単な説明】
【００１７】
【図１】一実施形態のプリーツスクリーンを示す斜視図である。
【図２】ボールチェーン示す正面図である。
【図３】ボールチェーンの連結部を示す分解斜視図である。
【図４】ボールチェーンの連結部を示す正面図である。
【図５】プーリーに掛装したボールチェーンを示す正面図である。
【図６】プーリーに掛装したボールチェーンの連結部を示す拡大図である。
【発明を実施するための形態】
【００１８】
以下、この発明を具体化した第一の実施形態を図面に従って説明する。図１に示すプリーツスクリーンは、ヘッドボックス１から上部スクリーン２が吊下支持され、上部スクリーン２の下端に中間レール３が取着されている。前記中間レール３から下部スクリーン４が吊下支持され、下部スクリーン４の下端にボトムレール５が取着されている。
【００１９】
前記上部スクリーン２はレース生地等の半透過性の生地をジグザグ状に折り畳み可能としたものであり、下部スクリーン４は遮光性を備えた生地をジグザグ状に折り畳み可能としたものである。
【００２０】
前記上部スクリーン２の幅方向両側近傍には第一及び第二の昇降コード６，７が挿通され、第一の昇降コード６の下端は前記中間レール３に取着されている。第二の昇降コード７は、中間レール３を貫通し、さらに下部スクリーン４に挿通され、下端が前記ボトムレール５に取着されている。
【００２１】
前記第一及び第二の昇降コード６，７の上端部は、前記ヘッドボックス１内に配設されるスクリーン昇降装置に支持されている。そして、ヘッドボックス１の一端に回転可能に支持されたプーリー４５から垂下される無端状のボールチェーン８の操作により、中間レール３及びボトムレール５をそれぞれ独立して昇降可能となっている。
【００２２】
詳述すると、ボールチェーン８の一方を下方へ引き出すと、中間レール３が引き上げられる。中間レール３を所望高さまで引き上げた状態でボールチェーン８を手放すと、ヘッドボックス１内に配設されるストッパー装置が作動して中間レール３が所望高さに保持される。また、この状態からボールチェーン８の一方を下方へ僅かに引くと、ストッパー装置の作動が解除され、中間レール３を所望高さまで自重降下させることが可能となる。
【００２３】
一方、ボールチェーン８の他方を下方へ引き出すと、ボトムレール５が引き上げられる。ボトムレール５を所望高さまで引き上げた状態でボールチェーン８を手放すと、ヘッドボックス１内に配設されるストッパー装置が作動してボトムレール５が所望高さに保持される。また、この状態からボールチェーン８の一方を下方へ僅かに引くと、ストッパー装置の作動が解除され、ボトムレール５を所望高さまで自重降下させることが可能となる。
【００２４】
次に、前記ボールチェーン８の具体的構成を図２〜図４に従って説明する。図２に示すように、前記ボールチェーン８はポリエステルのコード３０上に等間隔に合成樹脂のボール３１が成形されている。各ボール３１はコード３０の表面上に成形機で長球状の充実体を成形したものであり、各ボール３１がコード３０に対し移動不能に固着されている。
【００２５】
前記コード３０の両端部は、連結部３２で連結されて無端状のボールチェーン８が構成される。図３に示すように、前記連結部３２は同一構成の２つの第一の連結部材３３を筒状の第二の連結部材３４で連結した構成である。
【００２６】
前記第一の連結部材３３は、前記コード３０と同一材質の連結コード３５の一端に前記ボール３１の半分の形状の半球部３６がアウトサート成型され、他端には第一の嵌合部３７が形成されている。前記半球部３６と第一の嵌合部３７との間に前記ボール３１と同形状のボール３８が固着され、前記ボール３８と半球部３６との間隔は、前記ボール３１の間隔と同一である。
【００２７】
前記半球部３６及び第一の嵌合部３７は、前記ボール３１と同一の合成樹脂で前記連結コード３５の両端部に成形される。
前記第一の嵌合部３７の基端部は、前記ボール３１の端部と同様な半球状に形成され、第一の嵌合部３７の先端部には、丸軸状の嵌合突部３９がアウトサート成型されている。
【００２８】
前記嵌合突部３９の先端部の外周面上には、丸軸の中心に対し線対称状に膨径部４０が形成され、その膨径部４０の中間には断面半円状の凹条４１がそれぞれ形成されている。
前記嵌合突部３９の基端部には、丸軸の径方向に突出する回動規制部４２が中心に対し線対称状に形成されている。また、各回動規制部４２は、前記嵌合突部３９の中心に対し前記凹条４１から周方向に４５度隔てた位置に形成される。
【００２９】
前記第二の連結部材３４は、前記第一の嵌合部３７及びボール３１，３８と同一の合成樹脂で円筒状に成形され、両側の開口部４３は前記嵌合突部３９の膨径部４０を含む先端部を挿入可能とした俵形に形成されている。また、両開口部４３は、その俵形の方向が円筒の中心に対し互いに９０度回転した形状となっている。
【００３０】
そして、前記第一の連結部材３３と第二の連結部材３４とを連結するには、第一の嵌合部３７の嵌合突部３９を第二の連結部材３４の一方の開口部４３に挿入し、第一の嵌合部３７を第二の連結部材３４に対し時計方向に９０度回動する。
【００３１】
また、第二の連結部材３４の他方の開口部４３にも同様に第一の連結部材３３の嵌合突部３９を挿入して９０度回動させて位置決めする。すると、図２に示すように、第二の連結部材３４を介して第一の連結部材３３が連結される。
【００３２】
この状態では、各第一の連結部材３３の嵌合突部３９の膨径部４０が第二の連結部材３４内に保持される。この保持力は、通常のスクリーン昇降操作時に、前記プーリー４５から垂下されるボールチェーン８の一方を下方へ引く場合に作用する通常の引張り力では、嵌合突部３９が第二の連結部材３４から外れることがないように設定されている。
【００３３】
一方、ボールチェーン８に居住者等が引っ掛かって、プーリー４５から垂下されるボールチェーン８の双方に通常の引張り力を超える大きな引張り力が作用したとき、第二の連結部材３４の合成樹脂の弾性により、嵌合突部３９の膨径部４０で開口部４３が押し広げられる。そして、嵌合突部３９が第二の連結部材３４から外れるようになっている。
【００３４】
前記第一の連結部材３３の半球部３６は、前記コード３０の両端にアウトサート成型された半球部３１ａに溶着固定されて、前記ボール３１と同一形状のボールが形成される。そして、前記第一の連結部材３３を第二の連結部材３４で連結すると、無端状のボールチェーン８が形成される。
【００３５】
図４に示すように、第二の連結部材３４に第一の連結部材３３の第一の嵌合部３７が嵌合されると、前記ボール３１，３８と同様な形状の長球状の連結ボール４４が形成される。この連結ボール４４の長径ｔ１は、他のボール３１，３８の長径ｔ２より大きく形成され、例えばｔ１は６．５ｍｍ、ｔ２は６．２ｍｍに形成される。
【００３６】
この長径の差により、連結ボール４４と隣のボール３８とのピッチｐ１は１２．３ｍｍに形成され、他のボール３８，３１間及びボール３１間のピッチｐ２は１２．０ｍｍに形成されている。
【００３７】
図５に示すように、前記ボールチェーン８が掛装されるプーリー４５の外周面には、前記ボール３１，３８及び連結ボール４４に係合する係合突部４６が等間隔に形成され、その係合突部４６のピッチは、前記ピッチｐ２と同一の１２．０ｍｍに形成されている。
【００３８】
このように構成されたボールチェーン８では、前記ボールチェーン８のコード３０及び前記連結部３２の連結コード３５の全長に亘ってほぼ同一形状のボール３１，３８，４４が形成される。従って、ボールチェーン８はプーリー４５に対し制限なく周回可能である。
【００３９】
次に、上記のように構成されたボールチェーン８の作用を説明する。ボールチェーン８を操作してプーリー４５を一方あるいは他方へ回転させると、ヘッドボックス１内の昇降装置の動作により、上部スクリーン２あるいは下部スクリーン４が昇降される。
【００４０】
図５に示すように、通常操作時にボールチェーン８が矢印Ａ方向に引っ張られて、連結ボール４４がプーリー４５の係合突部４６に係合しているとき、図６に示すように、後続のボール３８と係合突部４６との間には間隙ｘが確保される。これは、連結ボール４４と後続のボール３８とのピッチｐ１が、係合突部４６のピッチｐ２より大きいためである。
【００４１】
すると、連結ボール４４がプーリー４５の係合突部４６に係合しているとき、後続のボール３８は係合突部４６に当接しないので、後続のボール３８が係合突部４６に当接することによる連結ボール４４への引張り力は発生しない。従って、連結ボール４４に対し同連結ボール４４を両側へ引く力が作用することはなく、第一の連結部材３３と第二の連結部材３４との連結が外れることはない。ボールチェーン８が矢印Ｂ方向に引かれる場合も同様である。
【００４２】
ボールチェーン８が居住者等に引っ掛かると、プーリー４５から垂下されるボールチェーン８に矢印Ａ，Ｂ方向の過大な引張り力が同時に作用する。すると、連結ボール４４がプーリー４５に係合しているか否かに関わらず、第一の連結部材３３と第二の連結部材３４との連結が外れるので、居住者等の移動が妨げられることはない。
【００４３】
上記のように構成されたプリーツスクリーンの操作装置では、次に示す作用効果を得ることができる。
（１）ボールチェーン８に居住者等が引っ掛かった場合には、連結部３２で第一の連結部材３３と第二の連結部材３４が外れる。従って、ボールチェーン８にフェイルセーフ機能を備えることができる。
（２）第一の連結部材３３と第二の連結部材３４が外れた後には、第二の連結部材３４に第一の連結部材３３を再度嵌合すると、無端状のボールチェーン８を容易に再構成することができる。
（３）通常操作時には、連結ボール４４がプーリー４５に係合しているときに、第一の連結部材３３と第二の連結部材３４との無用な外れを防止することができる。
【００４４】
上記実施形態は、以下の態様で実施してもよい。
・連結ボール４４の径を他のボール３１，３８と同一とし、連結ボール４４と隣り合うボール３８との間の連結コード３５の長さを他のボール間の連結コードの長さより長くして、ピッチｐ１をピッチｐ２より長くするようにしてもよい。
・連結ボール４４の径を他のボール３１，３８より大きくするとともに、連結ボール４４と隣り合うボール３８との間の連結コード３５の長さを他のボール間の連結コードの長さより長くして、ピッチｐ１をピッチｐ２より長くするようにしてもよい。
・半球部３６を半球部３１ａに接着剤で接着してもよい。
・横型ブラインドやロールブラインドの操作装置として使用するボールチェーンにも実施可能である。
【符号の説明】
【００４５】
１ヘッドボックス、２，４…遮蔽材（上部スクリーン、下部スクリーン）、８…ボールチェーン、３１，３８…ボール、３２…連結部、４４…連結ボール、４５…プーリー、ｐ１，ｐ２…ピッチ。
【図１】
0005618612.tif 000002
【図２】
0005618612.tif 000003
【図３】
0005618612.tif 000004
【図４】
0005618612.tif 000005
【図５】
0005618612.tif 000006
【図６】
0005618612.tif 000007